【手続補正書】
【提出日】平成17年3月24日(2005.3.24)
【手続補正１】
【補正対象書類名】明細書
【補正対象項目名】特許請求の範囲
【補正方法】変更
【補正の内容】
【特許請求の範囲】
【請求項１】
予め設定された複数種類の医療行為のうちのいずれかを示す医療行為データを各医療行為の実行時期を示す実行時期データに対応付けて夫々格納する複数のファイル手段と、
前記複数のファイル手段に夫々格納された前記医療行為データ及び前記実行時期データに基づいて、一の患者に関する医療計画記録をなす前記医療行為データを、前記医療計画記録の全期間のうちの一部の期間の前記医療行為の全種類のうちの一部の種類について、時期別且つ種類別に分けられた医療計画記録画面として表示するための第１表示データを生成する表示制御手段と、
前記第１表示データに基づいて前記医療計画記録画面を表示する表示手段と、
予め前記一の患者に対する個別的な医療計画記録に用いられる前段階における、標準的な医療計画記録に用いられる医療行為データと、後に前記個別的な医療計画記録用に修正変更する際の基礎となる他の医療行為データとを含む複数の医療行為データが記録された記録媒体と、
前記医療計画記録画面に表示されている医療行為データの変更用に、前記記録媒体に記録された医療行為データの中から、前記一の患者に対して将来行うべき医療行為の内容を示す、前記一の患者の状態に応じた一又は複数の医療行為データを選択可能なデータ選択手段と、
前記医療計画記録画面に表示されている医療行為データの変更用に、前記医療計画記録画面上で、前記一の患者に対して将来行うべき医療行為の内容を示す、前記一の患者の状態に応じた一又は複数の医療行為データを入力可能な入力手段と
を備えており、
前記複数のファイル手段は、前記第１表示データを生成するのに用いられた医療行為データに加えて又は代えて、前記選択若しくは入力された一又は複数の医療行為データを、前記一の患者の状態に応じた修正変更後における前記一の患者に関する医療計画記録に用いられる医療行為データとして、前記実行時期データに対応付けて夫々格納し、
前記表示制御手段は、前記選択若しくは入力された一又は複数の医療行為データを含む、前記複数のファイル手段に格納された前記医療行為データ及び前記実行時期データに基づいて、前記一の患者の状態に応じた修正変更後における前記一の患者に関する医療計画記録画面を表示するための前記第１表示データを生成する
ことを特徴とする医療計画及び記録支援システム。
【請求項２】
現在日時を計測する日時計測手段を更に備え、
前記表示制御手段は、前記医療計画記録画面としての日付別且つ種類別に並べた医療計画記録表内に、前記計測された現在日時を示す現在日時マークを表示するように前記第１表示データを生成することを特徴とする請求項１に記載の医療計画及び記録支援システム。
【請求項３】
前記表示制御手段は、前記医療計画記録画面内に、医療的に見て特別な状況を示すイベント情報に対応するイベントマークを表示するように前記第１表示データを生成することを特徴とする請求項１又は２に記載の医療計画及び記録支援システム。
【請求項４】
前記複数のファイル手段は夫々、前記ファイル手段が格納する医療行為データがいずれの医療行為の種類に属すべきかを示す対応分類データと該対応分類データが示す医療行為の種類の優先順位を示す優先順位データとを含み、
前記表示制御手段は、前記医療行為データが、前記医療計画記録画面としての日付別且つ種類別に並べた医療計画記録表中でいずれの医療行為の種類に属するかを、前記対応分類データ及び前記優先順位データに基づいて決定しつつ前記第１表示データを生成することを特徴とする請求項１から３のいずれか一項に記載の医療計画及び記録支援システム。
【手続補正２】
【補正対象書類名】明細書
【補正対象項目名】００１１
【補正方法】変更
【補正の内容】
【００１１】
【課題を解決するための手段】
本発明の第１の医療計画及び記録支援システムは上記課題を解決するために、予め設定された複数種類の医療行為のうちのいずれかを示す医療行為データを各医療行為の実行時期を示す実行時期データに対応付けて夫々格納する複数のファイル手段と、前記複数のファイル手段に夫々格納された前記医療行為データ及び前記実行時期データに基づいて、一の患者に関する医療計画記録をなす前記医療行為データを、前記医療計画記録の全期間のうちの一部の期間の前記医療行為の全種類のうちの一部の種類について、時期別且つ種類別に分けられた医療計画記録画面として表示するための第１表示データを生成する表示制御手段と、前記第１表示データに基づいて前記医療計画記録画面を表示する表示手段と、予め前記一の患者に対する個別的な医療計画記録に用いられる前段階における、標準的な医療計画記録に用いられる医療行為データと、後に前記個別的な医療計画記録用に修正変更する際の基礎となる他の医療行為データとを含む複数の医療行為データが記録された記録媒体と、前記医療計画記録画面に表示されている医療行為データの変更用に、前記記録媒体に記録された医療行為データの中から、前記一の患者に対して将来行うべき医療行為の内容を示す、前記一の患者の状態に応じた一又は複数の医療行為データを選択可能なデータ選択手段と、前記医療計画記録画面に表示されている医療行為データの変更用に、前記医療計画記録画面上で、前記一の患者に対して将来行うべき医療行為の内容を示す、前記一の患者の状態に応じた一又は複数の医療行為データを入力可能な入力手段とを備えており、前記複数のファイル手段は、前記第１表示データを生成するのに用いられた医療行為データに加えて又は代えて、前記選択若しくは入力された一又は複数の医療行為データを、前記一の患者の状態に応じた修正変更後における前記一の患者に関する医療計画記録に用いられる医療行為データとして、前記実行時期データに対応付けて夫々格納し、前記表示制御手段は、前記選択若しくは入力された一又は複数の医療行為データを含む、前記複数のファイル手段に格納された前記医療行為データ及び前記実行時期データに基づいて、前記一の患者の状態に応じた修正変更後における前記一の患者に関する医療計画記録画面を表示するための前記第１表示データを生成する。
【手続補正３】
【補正対象書類名】明細書
【補正対象項目名】００１２
【補正方法】変更
【補正の内容】
【００１２】
本発明の第１の医療計画及び記録支援システムによれば、ファイル手段は、診療データ、医師の記録、バイタルサイン等の何らかの医療行為に関連する各種データを含む医療行為データを、日付若しくは日付と時刻等の実行時期を示す実行時期データ（時点又は期間を示すデータ）に対応付けて格納する。医療計画記録画面は、例えば一の患者に関する過去及び未来における医療計画記録をなす医療行為データを、医療計画記録の全期間ではなく、一部の期間のみについて日付別且つ種類別に並べた表からなる。例えば、日付を横軸にとり且つ種類を縦軸にとった表や、日付を縦軸にとり且つ種類を横軸にとった表からなる。
【手続補正４】
【補正対象書類名】明細書
【補正対象項目名】００１３
【補正方法】変更
【補正の内容】
【００１３】
その動作時には、表示制御手段により、第１表示データが生成され、表示手段により、前記第１表示データに基づいて前記医療計画記録画面が表示される。他方、例えばＣＤ−ＲＯＭ、ＤＶＤ−ＲＯＭ等の記録媒体には、予め一の患者に対する個別的な医療計画記録に用いられる前段階における、標準的な医療計画記録に用いられる医療行為データと、後に前記個別的な医療計画記録用に修正変更する際の基礎となる他の医療行為データとを含む複数の医療行為データが記録されている。これらは、予め作成可能であると共に汎用性も高い。
【手続補正５】
【補正対象書類名】明細書
【補正対象項目名】００１４
【補正方法】変更
【補正の内容】
【００１４】
このような記録媒体に記録された医療行為データの中から、医療計画記録画面に表示されている医療行為データの変更用に、一の患者に対して将来行うべき医療行為の内容を示す、一の患者の状態に応じた一又は複数の医療行為データが、データ選択手段によって必要に応じて選択される。また、前記医療計画記録画面に表示されている医療行為データの変更用に、表示手段により表示された医療計画記録画面上で、一の患者に対して将来行うべき医療行為の内容を示す、一の患者の状態に応じた一又は複数の医療行為データが、入力手段によって、必要に応じて入力される。すると、複数のファイル手段には、医療計画記録画面上での表示に用いられた医療行為データに加えて又は代えて、このように選択若しくは入力された一又は複数の医療行為データが、一の患者の状態に応じた修正変更後における医療計画記録に用いられる医療行為データとして、実行時期データに対応付けて夫々格納される。更に、このように選択若しくは入力された一又は複数の医療行為データを含む、複数のファイル手段に格納された医療行為データ及び実行時期データに基づいて、一の患者の状態に応じた修正変更後における医療計画記録画面を表示するための第１表示データが、表示制御手段によって生成される。これらの結果、表示手段には、一の患者の状態に応じて修正変更された医療計画記録画面が表示されることになる。例えば、必要に応じて、即ち患者の状態や属性に応じて、各患者毎の医療計画に見合ったレイヤーマップ等の医療計画記録表が表示される。また、第１オブジェクトファイル等のファイル手段についても、患者の状態に応じて内容変更されることになる。
以上のように、医療計画の各部について患者の状態に応じて適宜修正変更を加えることができる。
【手続補正６】
【補正対象書類名】明細書
【補正対象項目名】００１５
【補正方法】変更
【補正の内容】
【００１５】
これらの結果、医療行為データが膨大な量であっても個別状況に応じて参照したい医療行為データを含む医療計画記録表を容易に参照可能であり、しかも長期に亘る医療情報を一元的に取り扱うことが可能となる。尚、表示制御手段は、各患者毎の医療計画に見合った医療計画記録表が表示されるように、所望の欄を設定可能に構成されていてもよい。
【手続補正７】
【補正対象書類名】明細書
【補正対象項目名】００１６
【補正方法】変更
【補正の内容】
【００１６】
本発明の第１の医療計画及び記録支援システムの一態様では、表示制御手段は、前記医療計画記録画面としての日付別且つ種類別に並べた医療計画記録表を識別する表識別マーク情報を前記医療計画記録の全期間を示す時間軸上における前記一部の期間に対応する位置に並べた患者別年表として表示するための第２表示データを生成する。そして、前記表示制御手段は、前記医療行為の全種類のうちの一部の種類のみについての医療計画記録表を表示するように前記第１表示データを生成し、前記表識別マーク情報を前記一部の種類毎に別々に表示するように前記第２表示データを生成する。
【手続補正８】
【補正対象書類名】明細書
【補正対象項目名】００２０
【補正方法】変更
【補正の内容】
【００２０】
本発明の第２の医療計画及び記録支援システムでは、予め設定された複数種類の医療行為のうちのいずれかを示す医療行為データを各医療行為の実行時期を示す実行時期データに対応付けて夫々格納する複数のファイル手段と、前記複数のファイル手段に夫々格納された前記医療行為データ及び前記実行時期データに基づいて、一の患者に関する医療計画記録をなす前記医療行為データを前記医療行為の全種類のうちの一部の種類のみについて日付別且つ種類別に並べた医療計画記録表として表示するための第１表示データを生成し、前記医療計画記録表を識別する表識別マーク情報を前記医療計画記録の全期間を示す時間軸上における前記一部の種類の医療行為の実行に係る期間に対応する位置に並べた患者別年表として表示するための第２表示データを生成する表示制御手段と、前記第１表示データに基づいて前記医療計画記録表を表示し、前記第２表示データに基づいて前記患者別年表を表示する表示手段と、前記表示手段により複数の前記表識別マーク情報を含む前記患者別年表が表示された状態で、該表示された複数の表識別マーク情報のうちの一つを選択可能な選択手段とを備えており、前記表示制御手段は、前記選択手段により選択された表識別マーク情報により識別される医療計画記録表を構成する医療行為データを格納するファイル手段を取り出して、該取り出したファイル手段に格納された医療行為データを用いて前記第１表示データを生成する。
【手続補正９】
【補正対象書類名】明細書
【補正対象項目名】００４３
【補正方法】変更
【補正の内容】
【００４３】
本発明の第１又は第２の医療計画及び記録支援システムの他の態様では、現在日時を計測する日時計測手段を更に備え、前記表示制御手段は、前記医療計画記録画面としての日付別且つ種類別に並べた医療計画記録表内に、前記計測された現在日時を示す現在日時マークを表示するように前記第１表示データを生成してもよい。
【手続補正１０】
【補正対象書類名】明細書
【補正対象項目名】００４４
【補正方法】変更
【補正の内容】
【００４４】
この態様によれば、日時計測手段で計測された現在日時を示す現在日時マーク（例えば、時間軸に直交するライン状のマークや、時間軸上に配置されたポイント状のマーク）が医療計画記録表内に表示されるので、当該医療計画記録表において現在日時がどこに位置するのかを瞬時に視認できる。例えば、現在日時マークの右側は、未来に相当する領域であり、この領域に存在するレイヤーマップは、医療行為データとして主に未来に行われる計画データからなり、この部分を患者の状態に応じて修正変更することが可能である。
【手続補正１１】
【補正対象書類名】明細書
【補正対象項目名】００４６
【補正方法】変更
【補正の内容】
【００４６】
この態様によれば、医療計画記録表上で、医療行為データを参照でき且つ入力できるので大変便利である。
本発明の第１又は第２の医療計画及び記録支援システムの他の態様では、前記表示制御手段は、前記医療計画記録画面内に、医療的に見て特別な状況を示すイベント情報に対応するイベントマークを表示するように前記第１表示データを生成する。
この態様によれば、医療計画記録画面内に、イベント情報によって、例えば、患者に発生した身体上の変化、症状、コメント等を記録することなど、医療的に見て特別な状況が示される。そして、例えばこのようなイベントを示すイベントマークが如何なるレイヤーマップ等に関連するかが一覧表で表示され、各イベントにおいて、患者の状態に応じて医療行為データについて修正変更が加えられた様子を確認可能となる。
本発明の第１又は第２の医療計画及び記録支援システムの他の態様では、前記複数のファイル手段は夫々、前記ファイル手段が格納する医療行為データがいずれの医療行為の種類に属すべきかを示す対応分類データと該対応分類データが示す医療行為の種類の優先順位を示す優先順位データとを含み、前記表示制御手段は、前記医療行為データが、前記医療計画記録画面としての日付別且つ種類別に並べた医療計画記録表中でいずれの医療行為の種類に属するかを、前記対応分類データ及び前記優先順位データに基づいて決定しつつ前記第１表示データを生成する。
この態様によれば、医療行為の種類が固定されておらず医師等の医療計画及び記録者の好みに応じて各種形態に変えられる場合にも、医療行為データを夫々、適切な種類に対応付けることが可能である。